(57)【特許請求の範囲】
【請求項１】
吸引口及び排出口を有する吸引調整器本体の一側に調整器カバーが取り付けてあり、他側にダイヤル体が装着してあり、
前記吸引調整器本体に横孔が貫通して設けてあり、この横孔に弁ロッドが気密にかつ位置調整自在に装着してあり、前記横孔と排出口を連通する流路と、前記吸引口と前記調整器カバーの内側に形成されたピストン室を連通する流路が設けてあり、
前記弁ロッドにはその先端面から排出口側へ連通する流路が設けてあり、
前記調整器カバーにはピストンが装着してあり、このピストンの先端は前記横孔に挿入され、ピストンの先端面と前記弁ロッドの先端とで弁を構成し、
前記ピストンにはこれを前記横孔側へ付勢する調圧スプリングと、反対側へ付勢する補助スプリングとが装着され、
前記弁ロッドは前記吸引調整器本体の横溝内壁に螺合され、
前記弁ロッドを回転させることで弁ロッドの位置を調整し、前記弁を開閉し、もって吸引圧力を調整するようにした、
医療用吸引調整器
【請求項２】
弁ロッドは、基端部はダイヤル体に固定し、ダイヤル体の回転によって弁ロッドの位置が調整できるようにした、請求項１記載の医療用吸引調整器
【請求項３】
弁ロッドには、ストッパー凸部が環状に設けてあり、このストッパー凸部が吸引調整器本体の基端部に環状に形成された凹部に位置し、弁ロッドの移動範囲を規制するようにした、請求項１又は２に記載の医療用吸引調整器
【発明の詳細な説明】
【０００１】
【産業上の利用分野】
この発明は、体液や血液などの吸引処置などに使用される、医療用吸引調整器に関するものである。
【０００２】
【従来の技術】
従来この種の吸引調整器は、ダイヤフラムを使用して吸引圧力を調整する機構となっている。
また、ピストン構造を採用したものとしては、特公平４−７２５４号の発明が提案されている。
【０００３】
【発明が解決しようとする課題】
ダイヤフラム構造のものは、ダイヤフラムが取り付けられた弁ロッドを付勢するスプリングの押圧力を調整することによって吸引力を調整するようにしてある。この操作はダイヤルを回転させて行うのが一般的であるが、ダイヤルにはスプリングの押圧力がかかっているので回転に力がいり、またスムーズな回転を得られにくいという問題点があった。
また、上記特公平４−７２５４号のピストン構造を採用した発明においても、ピストン位置の調整はピストンを付勢するスプリングの押圧力を調整することで行うようになっているので、ダイヤフラム機構のものと同様の問題があった。
【０００４】
【課題を解決するための手段】
この発明の吸引調整器は、吸引口及び排出口を有する吸引調整器本体の一側に調整器カバーを取り付け、他側にダイヤル体を装着してある。前記吸引調整器本体に横孔が貫通して設けてあり、この横孔に弁ロッドが気密にかつ位置調整自在に装着してある。前記横孔と排出口を連通する流路と、前記吸引口と前記調整器カバーの内側に形成されたピストン室を連通する流路が設けてあり、前記弁ロッドにはその先端面から排出口側へ連通する流路が設けてある。
前記調整器カバーにはピストンが装着してあり、このピストンの先端は前記横孔に挿入され、ピストンの先端面と前記弁ロッドの先端とで弁を構成している。前記ピストンにはこれを前記横孔側へ付勢する調圧スプリングと、反対側へ付勢する補助スプリングとが装着されている。
前記弁ロッドは吸引調整器本体の横溝内壁に螺合され、前記弁ロッドを回転させることで弁ロッドの位置を調整し、前記弁を開閉し、もって吸引圧力を調整するようにしてある。
請求項２の発明は、弁ロッドの基端部をダイヤル体に固定し、ダイヤル体の回転によって弁ロッドの位置が調整できるようにしたものであり、請求項３の発明は、弁ロッドにストッパー凸部を環状に設け、このストッパー凸部を吸引調整器本体の基端部に環状に形成された凹部に位置させて、弁ロッドの移動範囲を規制するようにしたものである。
【０００５】
【作用】
弁ロッドの先端がピストンの先端面に密着しているとき、吸引圧は０であり、弁ロッドをピストンから離れる方向へ移動させると、弁ロッドの先端がピストンの先端面から離れ、間隙が生じるので、吸引が開始される。
吸引開始によりピストン室が減圧されるので、ピストンは弁ロッド側へ移動
し、調整された圧力で平衡状態となり、一定圧での吸引が継続する。
ピストンと弁ロッドとの間隙を最大限まで拡げると、外部システムにおける最大吸引圧力まで対応可能である。
【０００６】
【発明の実施の形態】
吸引調整器本体１の一側に調整器カバー２が取り付けてあり、他側に六角ナット３が螺合しており、この六角ナット３にダイヤル体４が装着してある。
前記吸引調整器本体１には横孔５が貫通させてあり、この横孔５に弁ロッド６が気密に装着してあり、弁ロッド６の基端側は前記六角ナット３を挿通してダイヤル体４内へ伸びている。
前記吸引調整器本体１のダイヤル体４側内壁にはダイヤル体側が開放したストッパー凹部７が環状に形成してあり、このストッパー凹部７にネジが形成してある。一方、前記弁ロッド６にはストッパー凸部８が環状に形成してあり、このストッパー凸部８にネジが形成してあり、前記ストッパー凹部７のネジに螺合している。前記ストッパー凹部７の開放端は六角ナット３によって閉塞されており、弁ロッド６の調整器カバー方向への移動はストッパー凸部８の先端側がストッパー凹部７の壁に当接することで規制され、ダイヤル体側への移動はストッパー凸部８の基端側が六角ナット３の内面に当接することにより規制される。
前記弁ロッド６の基端部はダイヤル体４に組み込まれたセットスクリュー９で固定され、ダイヤル体４を回転させると弁ロッド６が回転し、弁ロッドのネジ８とストッパー凹部７のネジとの噛み合わせにより、弁ロッド６が横孔５内を移動する。
図中符号１０は弁ロッド６の位置を調整するための工具（ドライバー）を係止するための溝である。
【０００７】
前記調整器カバー２内はピストン室１１とし、ピストン１２が装着してあり、ピストン１２の先端部は前記横孔５に挿入され、その先端面は前記弁ロッド６の先端に当接し、弁ロッド６の先端とピストン１２の先端面とで弁を構成するようにしてある。前記ピストン１２と横孔５との間には間隙があり、流路が形成されるようにしてある。
前記ピストン１２の基部にはスプリング受け１３が形成してあり、このスプリング受け１３と吸引調整器本体１との間に、ピストン１２を調整器カバー２側へ付勢する調圧スプリング１４が装着してあり、スプリング受け１３と調整器カバー２との間にピストン１２を弁ロッド６方向へ付勢する補助スプリング１５が装着してある。
【０００８】
前記吸引調整器本体１には、カテーテルなどを接続する吸引口となるホース口１６、外部システム（吸引装置）１７を接続する排出口となる開閉バルブ１８が設けてある。そして、吸引調整器本体１には前記ホース口１６からピストン室１１に連通する流路１９が設けてあり、弁ロッド６にはピストン室に臨むその先端から外壁へ連通する流路２０が設けてあり、吸引調整器本体１に前記流路２０から開閉弁１８へ連通する流路２１が設けてあり、ホース口１６から開閉弁１８へ連通し得るようにしてある。
図中符号２２は圧力計、２３は着脱自在なダイヤルプレートである。
【０００９】
以下、上記のように構成された吸引調整器Ａの作動を説明する。
弁ロッド６は、吸引調整器Ａへの負荷が０のとき、その先端がピストン１２の先端面に気密に当接するように調整する。
弁ロッド６の先端がピストン１２の先端面に当接しているとき、この当接によって前記ホース口から開閉弁１８に至る流路は閉塞されるので、外部システム１７の吸引圧は遮断され、ホース口側における吸引圧は０となり、吸引されない。
【００１０】
吸引圧を調整するときは、ホース口１６を閉じてダイヤル体４を左回転させる。ダイヤル体４を左回転させるとネジ８の噛み合わせによって弁ロッドはダイヤル体側（図中右側）移動し、弁ロッド６の先端がピストン１２の先端面から離れ、間隙が生じるので、ピストン室１１に作用する吸引圧が圧力計２２に表示される。この表示により弁ロッド４の位置を所望の吸引圧に合わせて設定する。
このとき、ホース口１６から開閉弁１８に至る流路が開通しているので、ホース口１６にカテーテルなどを接続すると、吸引が開始される。
調整された圧力に基づき、一定圧での吸引が継続する。
【００１１】
吸引圧は弁ロッド６とピストン１２の先端面との間隙の大きさによって変化する。そして、間隙を最大とすれば、外部システムの吸引圧の限度までの吸引圧を得ることができる。
なお、前記弁ロッド６は吸引調整器本体１の係止凹部７によって移動範囲を規制されている。この移動範囲は弁ロッド６の流路２０に形成した環状凹部２０ａの幅に対応させてあるので、設定吸引圧の変更によって弁ロッドの位置が変化しても、弁ロッド６の吸引される流体は流路２０から流路２１へスムーズに流れ、調整した吸引圧力と実際の吸引量とに誤差が生じることがない。
【００１２】
上記実施形態においては、弁ロッド６と調整器本体１の内壁との螺合によって弁ロッド６が移動するようにしたが、弁ロッド６を六角ナット３の孔に螺合させることもできる。
また、ピストン１２を２本のスプリング１４、１５で保持するようにしたが、１本のスプリングのみとすることも可能である。
【００１３】
【発明の効果】
この発明によれば、吸引圧の調整は弁ロッドの位置を調整することにより行うが、弁ロッドは従来のダイヤフラム方式と異なり、スプリングの影響を受けていない。したがって、ダイヤル体を回転させることによって弁ロッドはスムーズに回転するので、圧力調整を円滑に行うことができる。したがって、調整が迅速となり、かつ微調整も容易となる。
また、従来のダイヤフラム方式よりも部品点数が減少し、かつ組立時の調整も殆ど不要であるから、コストを削減することができ、かつ小型化も可能である。
【図面の簡単な説明】
【図１】    この発明実施形態の断面図である。
【図２】    同じく正面図である。
【符号の説明】
Ａ      吸引調整器
１      吸引調整器本体
２      調整器カバー
３      六角ナット
４      ダイヤル体
５      横孔
６      弁ロッド
７      ストッパー凹部
８      ストッパー凸部
９      セットスクリュウ
１０    溝
１１    ピストン室
１２    ピストン
１３    スプリング受け
１４    調圧スプリング
１５    補助スプリング
１６    ホース口
１７    外部システム
１８    開閉弁
１９    流路
２０    流路
２１    流路
２２    圧力計
２３    ダイヤルプレート
【図１】
0003676124.tif 000002
【図２】
0003676124.tif 000003